(57)【要約】      （修正有）【課題】  運動方向の自由度の高い、着座時における足の運動不足を解消する構造の簡単な運動用具を提供することである。【解決手段】  台座１上の中央部に立設する支柱３の頂部において、自在継手５に拠り結合する左右に垂下する腕部を有する、その中央部を支点として前後、左右に動き、上下に揺動する可動アーム４の懸垂する両腕の端部に設ける、軸受により回転自在に結合する乗板７に、着座した状態で両足を乗せて足の運動を行なうことの出来る着座用足振り運動具。【選択図】  図１
2006055603.tif 000002
【特許請求の範囲】
【請求項１】
台座上に設ける支柱の頂部において自在継手を介して、その中央部が結合し左右或は前後の二方向に垂下し端部に水平部を設ける棒状の可動アームの前記垂下する両端部の水平部に設ける軸受を介して乗板を可動的に結合して成る、前記乗板に別途用意する椅子等に腰掛けながら両足を乗せて水平方向での回動のみならず前後左右の平行移動或は上下方向での揺動等の所望方向に足を動かす運動を可能とする着座用足振り運動具。
【発明の詳細な説明】
【技術分野】
【０００１】  本発明は、着座した状態で足の関節を動かし、筋肉に刺激を与えて、着座時の運動不足を解消する足振り運動具に関するものである。
【背景技術】
【０００２】  人は、長時間着座の状態に置かれていると、運動不足のために、足に血液が溜まり血行が悪くなり、健康を維持するためには、時々立ち上がって屈伸をして膝に刺激を与えたり歩行する等の運動が必要となる。
着座時における足の運動用として、略水平に配置されている支持部材から二本の鎖等の懸垂部材を懸垂し、この懸垂部材の下端にペダルを設けて、このペダルに足を乗せ、着座時には前記支持部材を両手で押えながら、足を懸垂部材の可動範囲内で動かす運動器具或は着座の状態以外の立った姿勢で使用する、基盤上に自在継手を介して、水平方向に回動自在且つ上下方向に揺動自在に、その中央部を支持し両側部上に足を乗せて足の運動を可能とし股関節の動きを滑らかにし大腿部の筋肉を鍛える運動具或は同一出願人による立ち姿勢の状態で基台上に自在継手によって可動的に結合する、表面に適宜間隔で配置される突起片を有する板状体に足を乗せ、特に足裏に刺激を与えて血行を良くする足のバランス健康具等が知られている。しかし、着座しているときに、足下に置き、足を振りながら関節を動かし筋肉に刺激を与えることの出来る簡便な用具は知られていない。【０００３】
【特許文献１】      特開２００１−２１８８６８号公報
【特許文献２】      特開２００２−２００１９４号公報
【特許文献３】      特開  平１１−１８８１２０号公報
【発明の開示】
【発明が解決しようとする課題】
【０００４】  前述の公知技術にあっては、着座の状態での足の運動を実施できる専用の用具ではなく、懸垂紐等の動きに拠る自由度の高いものであるが机の下に置いて簡単に使用することが出来ず、又、台座としての基盤或は基台上に自在継手を介して可動的に結合する板上に足を乗せて運動を促すものにあっては、手で身体を保持する必要があり、水平方向での回動及び上下の揺動は可能であるが左右或は前後の移動が出来ず自由度の低いものとなっている。
従って、本発明における課題は、上記従来の運動具の抱えている問題を解決し、椅子に着座した状態で、机の下に置いても容易に安定した状態で使用できる足の動きの自由度の高い簡便な足の運動用具を提供することが課題となる。
【課題を解決するための手段】
【０００５】  台座上に立設する支柱の頂部において、その中央部が、自在継手を介して可動的に結合し、左右或は前後の二方向に垂下する腕部を有する可動アームの、該腕部の端部に形成する水平部に固定する軸受を介して可動的に乗板を設けて成る比較的小型の、机の下に置く事が出来る足振り用具として課題を解決しているものであり、座ったままの状態で乗板に両足を乗せて、思い通りの方向に足を動かして運動を促進させるものとしている。
【発明の効果】
【０００６】  着座して机に向かっている状態での足の運動が、本用具を足下に置いて出来ると言う当初の課題を構造の簡単な装置に拠り容易に解決している固有の効果を有し、乗板が軸受を介して可動アームと結合しているために足首の回転も可能となってより効果の高いものとなる。
乗板に両足を乗せて、左右に傾動させると大腿骨などを捻る運動が出来、両足を交互にまたは同時に前後に移動させると膝の関節或は足の関節の運動が出来ることになる。
【発明を実施するための最良の形態】
【０００７】  以下、図面に示す実施例によって本発明の実施の形態について詳述する。
図１乃至図４に本発明の一実施例を、その形状が解るように斜視図、平面図、正面図及び側面図にして表している。台座１上に支柱押え２を介して支柱３を立設し、頂部において自在継手５を介して可動アーム４の中央部と結合している。可動アーム４は左右に垂下する棒状体から成り、垂下する側の先端部分を折り曲げて水平部を形成し、そこに軸受６を固定し軸受６上に乗板７を設けて全体を構成している。【０００８】  図５及び図６には自在継手５の実施例を示すが、本実施例における自在継手５は支柱３の頂部を球体状に形成し、この球体部と可動アーム４の中央下方に設ける可動アーム４の支持を兼ねる下方に向けて球面を有する椀状体とによって構成されている。
本実施例に示す自在継手５以外に、通常使用されている自在継手であればどのような形式構造のものでも使用でき、本発明における自在継手として本実施例に限るものではない。【０００９】  図１には、可動アーム４として左右に設ける懸垂する腕を棒状体の一本で形成したものを示したが、この腕部が二本にして軸受６の固定を容易にしたり、可動アーム４の懸垂端部に水平部を形成する板等を施して軸受６を固定する等の設計変更は自由であり、その選択は自由である。
更に、軸受６の可動アームとの固定の仕方、軸受６と乗板７との固定の仕方についても、その設計は自由であり、本発明にあっては固定の仕方を問うものではない。
要するに、本発明においては、簡単な構造に拠り、支柱３の頂部における自在継手５部が支点となって、この一点支持により可動する懸垂アームの運動を足乗板に伝達するもので、運動の自由度を高めていることが本質的なこととなる。【００１０】  使用にあたっては、椅子等に座り、足下に本運動具を置いて左右の乗板に両足を乗せて、足を所望の方向に動かすもので、この場合、大凡の大きさの目途としては、支柱３の高さが３４０ミリメートル程度、可動アーム４の高さが２８０ミリメートル程度、下端部の幅が４１０ミリメートル程度、乗板７の厚さ１５ミリメトル、幅９０ミリメートル、長さ２５０ミリメートル程度であれば実用的に望ましいものとなり、机の下にでも容易に置くことが出来る。従って、用具としては大きなものでは無く、持ち運びに不便をきたすこともない。
【図面の簡単な説明】
【００１１】
【図１】  本発明の一実施例を示す斜視図である。
【図２】  同実施例の平面図である。
【図３】  同実施例の正面図である。
【図４】  同実施例の側面図である。
【図５】  自在継手部の正面から見る部分断面図である。
【図６】  同側面における部分断面図である。
【符号の説明】
【００１２】１    台座
２    支柱押え
３    支柱
４    可動アーム
５    自在継手
６    軸受
７    乗板
【図１】
2006055603.tif 000003
【図２】
2006055603.tif 000004
【図３】
2006055603.tif 000005
【図４】
2006055603.tif 000006
【図５】
2006055603.tif 000007
【図６】
2006055603.tif 000008